(57)【要約】【課題】ハーフモールド構造の電子装置において、基板に発生する熱応力によるモールド樹脂の剥離・クラックを適切に防止する。【解決手段】電子部品２０、５０が搭載される基板１０の一面の周辺部には、基板１０よりも低弾性であり且つ基板１０の一面よりもモールド樹脂３０との密着性が大きい応力緩和層６０が、基板１０の一面より突出して設けられており、基板１０の一面の周辺部とモールド樹脂３０とは、応力緩和層６０を介して密着しており、基板１０の一面の周辺部に発生する熱応力が、応力緩和層６０により緩和されるようになっている。【選択図】図１
2010141158.tif 000002
【特許請求の範囲】
【請求項１】
板状の基板（１０）と、
前記基板（１０）の一面に搭載された電子部品（２０、５０）と、
前記基板（１０）の一面に設けられ、前記基板（１０）の一面および前記電子部品（２０、５０）を被覆して封止するモールド樹脂（３０）と、を備え、
前記基板（１０）の他面は前記モールド樹脂（３０）より露出する電子装置において、
前記基板（１０）の一面の周辺部には、前記基板（１０）よりも低弾性であり且つ前記基板（１０）の一面よりも前記モールド樹脂（３０）との密着性が大きい応力緩和層（６０）が、前記基板（１０）の一面より突出して設けられており、
前記基板（１０）の一面の周辺部と前記モールド樹脂（３０）とは、前記応力緩和層（６０）を介して密着しており、
前記基板（１０）の一面の周辺部に発生する熱応力が、前記応力緩和層（６０）により緩和されるようになっていることを特徴とする電子装置。
【請求項２】
前記電子部品（２０、５０）は、前記基板（１０）の一面のうち前記応力緩和層（６０）の内周側にて前記応力緩和層（６０）と離れて配置されていることを特徴とする請求項１に記載の電子装置。
【請求項３】
前記基板（１０）の一面は矩形をなし、この一面における少なくとも四隅部に、前記応力緩和層（６０）が設けられていることを特徴とする請求項１または２に記載の電子装置。
【請求項４】
前記基板（１０）の一面のうち前記応力緩和層（６０）の内周側では、前記モールド樹脂（３０）と前記基板（１０）の一面との密着性を確保するプライマーよりなる被膜が設けられ、この被膜を介して前記モールド樹脂（３０）との密着がなされており、
前記応力緩和層（６０）は、前記被膜よりも厚いものであって前記被膜よりも前記基板（１０）の一面上に高く突出していることを特徴とする請求項１ないし３のいずれか１つに記載の電子装置。
【請求項５】
前記基板（１０）の一面のうち前記応力緩和層（６０）の内周側では、前記モールド樹脂（３０）と前記基板（１０）の一面とが直接接して密着されていることを特徴とする請求項１ないし３のいずれか１つに記載の電子装置。
【発明の詳細な説明】
【技術分野】
【０００１】
本発明は、一面に電子部品が搭載された基板をモールド樹脂で封止してなる電子装置に関し、特に基板の他面をモールド樹脂より露出させた構成、いわゆるハーフモールド構造の電子装置に関する。
【背景技術】
【０００２】
従来より、基板と、基板の一面に搭載された電子部品と、基板の一面に設けられ、基板の一面および電子部品を封止するモールド樹脂と、を備える電子装置が提案されている（特許文献１〜３参照）。このような電子装置においては、基板の両面をモールド樹脂で封止した構造、いわゆるフルモールド構造が一般的であった。
【０００３】
近年、電子装置の搭載環境の高温化などにより、電子装置の高放熱性が求められており、それに伴って、基板の他面すなわち電子部品が搭載されている一面とは反対側の基板の面をモールド樹脂より露出させる構造、いわゆるハーフモールド構造が採用されてきている。
【０００４】
この場合、基板としては、回路基板とヒートシンクとを積層した構成を採用し、この積層構造の基板において、基板の一面としての回路基板側の面に電子部品を搭載し、それとは反対側の基板の他面としてのヒートシンク側の面をモールド樹脂より露出させるのが一般的である。そして、このヒートシンク側の面がモールド樹脂より露出するため、放熱性が向上する。
【０００５】
しかしながら、ハーフモールド構造は、実質的に基板の一面側のみにモールド樹脂が密着する構成であるため、基板とモールド樹脂との熱膨張係数差やモールド樹脂の硬化・収縮により熱応力が発生し、この熱応力により、モールド樹脂の剥離やクラックが発生するという問題があった。
【０００６】
この点について、従来では、基板上の剥離を抑えるため、基板上にモールド樹脂との密着性の高いプライマーを塗布し、基板表面に、当該プライマーよりなる被膜を形成する構造が提案されている（特許文献４参照）。
【特許文献１】特開２００４−１１９４６５号公報
【特許文献２】特開２００４−２５３４１５号公報
【特許文献３】特開２００３−２１８３１４号公報
【特許文献４】特開２００６−４１０７１号公報
【発明の開示】
【発明が解決しようとする課題】
【０００７】
しかしながら、上記プライマーによって被膜を形成する場合、当該被膜が薄いと、高い繰返し応力が加わった場合、モールド樹脂の剥離・クラックに至る。一方、当該被膜が厚いと、応力緩和層の役割も果たし、モールド樹脂の剥離を抑えることが可能ではあるが、当該被膜とモールド樹脂との境界部に応力が集中し、基板上の電子部品の破壊につながる恐れがある。
【０００８】
本発明は、上記問題に鑑みてなされたものであり、ハーフモールド構造の電子装置において、基板に発生する熱応力によるモールド樹脂の剥離・クラックを適切に防止することを目的とする。
【課題を解決するための手段】
【０００９】
上記目的を達成するため、鋭意検討した結果、モールド樹脂で封止されている基板の一面のうち、中央部よりも周辺部において、モールド樹脂の剥離・クラックが顕著であることに着目した。このことは、上記熱応力が、基板とモールド樹脂との熱膨張係数差およびモールド樹脂の硬化・収縮により発生するため、基板の周辺部にて最大になりやすいことからも推定される。
【００１０】
そこで、請求項１に記載の発明においては、電子部品（２０、５０）が搭載される基板（１０）の一面の周辺部には、基板（１０）よりも低弾性であり且つ基板（１０）の一面よりもモールド樹脂（３０）との密着性が大きい応力緩和層（６０）が、基板（１０）の一面より突出して設けられており、基板（１０）の一面の周辺部とモールド樹脂（３０）とは、応力緩和層（６０）を介して密着しており、基板（１０）の一面の周辺部に発生する熱応力が、応力緩和層（６０）により緩和されるようになっていることを特徴としている。
【００１１】
それによれば、基板（１０）の一面の周辺部にて最大となりやすい熱応力が、当該周辺部にて応力緩和層（６０）により緩和されるので、基板（１０）に発生する熱応力によるモールド樹脂（３０）の剥離・クラックを適切に防止することができる。
【００１２】
ここで、請求項２に記載の発明のように、電子部品（２０、５０）は、基板（１０）の一面のうち応力緩和層（６０）の内周側にて応力緩和層（６０）と離れて配置されていることが好ましい。
【００１３】
それによれば、電子部品（２０、５０）と応力緩和層（６０）とが非接触の状態となり、応力緩和層（６０）により発生する応力が電子部品（２０、５０）に加わらないので電子部品（２０）のダメージの防止につながる。
【００１４】
また、請求項３に記載の発明のように、基板（１０）の一面が矩形をなすものであるとき、この一面における少なくとも四隅部に、応力緩和層（６０）が設けられていることが好ましい。
【００１５】
基板（１０）が矩形板状の場合、上記熱応力は、その隅部が最大となりやすいので、この四隅部に応力緩和層（６０）を設けることが好ましい。
【００１６】
また、請求項４に記載の発明では、基板（１０）の一面のうち応力緩和層（６０）の内周側では、モールド樹脂（３０）と基板（１０）の一面との密着性を確保するプライマーよりなる被膜が設けられ、この被膜を介してモールド樹脂（３０）との密着がなされており、応力緩和層（６０）は、被膜よりも厚いものであって被膜よりも基板（１０）の一面上に高く突出していることを特徴としている。
【００１７】
このように応力緩和層（６０）の内周側に、プライマーよりなる被膜が設けられていてもよく、当該被膜によるモールド樹脂（３０）の密着力向上が図れるとともに、この場合も、より厚い応力緩和層（６０）によって上記応力緩和の効果が発揮されるので問題はない。
【００１８】
また、請求項５に記載の発明のように、基板（１０）の一面のうち応力緩和層（６０）の内周側では、モールド樹脂（３０）と基板（１０）の一面とが直接接して密着されているものであってもよい。
【００１９】
このように、基板（１０）の一面とモールド樹脂（３０）との密着については、基板（１０）の周辺部のみ応力緩和層（６０）を介した密着を行い、それ以外の部位では、基板（１０）の一面とモールド樹脂（６０）とを直接接触させて密着させる形態であってもよく、この場合、上記被膜の省略が図れ、工程の簡略化やコスト低減などが期待できる。
【００２０】
なお、特許請求の範囲およびこの欄で記載した各手段の括弧内の符号は、後述する実施形態に記載の具体的手段との対応関係を示す一例である。
【発明を実施するための最良の形態】
【００２１】
以下、本発明の実施形態について図に基づいて説明する。なお、以下の各実施形態相互において、互いに同一もしくは均等である部分には、説明の簡略化を図るべく、図中、同一符号を付してある。
【００２２】
（第１実施形態）
図１は、本発明の第１実施形態に係る電子装置を示す図であり、（ａ）は一部を切り欠きした概略平面図、（ｂ）は概略断面図である。
【００２３】
本実施形態の電子装置は、大きくは、板状の基板１０と、基板１０の一面（図１（ａ）中の上面）に搭載された電子部品２０と、基板１０の一面に設けられ基板１０の一面および電子部品２０を被覆して封止するモールド樹脂３０とを備えており、基板１０の他面（図１（ａ）中の下面）はモールド樹脂３０より露出した構成、いわゆるハーフモールド構成を有している。
【００２４】
本実施形態では、基板１０は回路基板１１とヒートシンク１２との積層体として構成されている。ここでは、回路基板１１、ヒートシンク１２ともに矩形板状であり、それらの積層体としての基板１０も矩形板状をなしている。回路基板１１としては、一般的なセラミック基板やプリント基板などが挙げられ、ヒートシンク１２としては、一般的な銅、鉄、アルミニウムなどの板材よりなるものが挙げられる。
【００２５】
そして、回路基板１１とヒートシンク１２とは、樹脂などよりなる接着剤１３を介して重ね合わされ、当該接着剤１３により接着され固定されている。このような積層体としての基板１０においては、電子部品２０が搭載されている基板１０の一面は回路基板１１の部品搭載面であり、モールド樹脂３０より露出している基板１０の他面はヒートシンク１２の放熱面である。
【００２６】
電子部品２０としては、基板１０の一面上に搭載可能なものであれば特に限定されないが、たとえばＩＣチップ、ミニモールド部品、コンデンサ、ダイオード、抵抗素子、さらにはワイヤなどが挙げられる。これら電子部品２０は、ダイボンド材やワイヤボンディングなどにより、回路基板１１の部品搭載面上に搭載され、回路基板１１と電気的・機械的に接続されている。また、後述するように、電子部品としてのボンディングワイヤ５０も回路基板１１の部品搭載面に接続されている。
【００２７】
また、図１に示されるように、本実施形態では、回路基板１１の外側にリード４０が配置されている。このリード４０は、銅などの導電性金属よりなるもので、回路基板１１側の部位はモールド樹脂３０に封止されてインナーリード部とされ、それとは反対側の部位はモールド樹脂３０より突出したアウターリード部とされている。
【００２８】
そして、モールド樹脂３０の内部にて、リード４０のインナーリード部と回路基板１１とは、電子部品としてのボンディングワイヤ５０により結線され、電気的に接続されている。このボンディングワイヤ５０は、金やアルミニウムなどの一般的なワイヤボンディングによって形成されるものである。
【００２９】
モールド樹脂３０は、トランスファーモールド法などにより形成される一般的なものであり、たとえばエポキシ樹脂などよりなる。モールド樹脂３０は、基板１０の一面全体、ここでは回路基板１１の部品搭載面の全体および電子部品２０、５０を封止しており、基板１０の他面、ここではヒートシンク１２の放熱面を露出させている。なお、図１（ａ）では、モールド樹脂３０の半分を切り欠いてその内部構成を示している。
【００３０】
このような電子装置においては、リード４０のアウターリード部にて外部との電気的接続が行われ、回路基板１１は、ボンディングワイヤ５０およびリード４０を介して外部との電気信号のやり取りを行うようになっている。また、駆動時などに電子部品２０および回路基板１１にて発生する熱は、モールド樹脂３０より露出しているヒートシンク１２の放熱面より放熱されるようになっている。
【００３１】
そして、本実施形態においては、モールド樹脂３０の内部にて、基板１０の一面の周辺部に応力緩和層６０が設けられている。ここでは応力緩和層６０は、図１に示されるように、矩形をなす基板１０の一面すなわち回路基板１１の部品搭載面の周辺部にて、矩形枠状に配置されており、基板１０の一面より突出している。
【００３２】
この応力緩和層６０は、基板１０よりも低弾性であり且つ基板１０の一面よりもモールド樹脂３０との密着性が大きいものである。ここでは、応力緩和層６０は回路基板１１よりも低弾性であり、回路基板１１の部品搭載面よりもモールド樹脂３０との密着力が大きいものである。
【００３３】
そして、この応力緩和層６０が設けられている回路基板１１の部品搭載面の周辺部は、モールド樹脂３０と直接接触して密着しているのではなく、応力緩和層６０を介して密着している。そのため、この応力緩和層６０の部分では、回路基板１１とモールド樹脂３０とが直接密着している場合に比べて、両者の密着性が向上している。
【００３４】
なお、本実施形態では、基板１０の一面である回路基板１１の部品搭載面のうち応力緩和層６０の内周側の部位には、モールド樹脂３０と回路基板１１との密着性を確保するプライマーよりなる図示しない被膜が設けられている。このプライマーとしては、従来の一般的な樹脂密着性向上の機能を有するものが採用される。
【００３５】
そして、当該内周側の部位は、この被膜を介してモールド樹脂３０と密着されており、この部位についても両者の密着性が向上されている。つまり、基板１０の一面である回路基板１１の部品搭載面とモールド樹脂３０との密着性については、これら応力緩和層６０および当該プライマーよりなる被膜により十分に確保され、モールド樹脂３０の剥離やクラックの発生が防止されている。
【００３６】
ただし、当該プライマーよりなる被膜については、応力緩和層６０は、当該被膜よりも厚いものであって当該被膜よりも回路基板１１の部品搭載面上に高く突出している。つまり、回路基板の部品搭載面においては、当該部品搭載面上の電子部品２０を除けば、応力緩和層６０が当該部品搭載面上に最も高く突出している。
【００３７】
この応力緩和層６０の物性について述べる。上述したように、応力緩和層６０は回路基板１１よりも低弾性であるが、回路基板１１が２５０ＧＰａ程度の弾性率を有するセラミック基板である場合には、応力緩和層６０の弾性率はたとえば２．８ＧＰａ程度である。また、回路基板１１が５〜７ｐｐｍ／℃程度の線膨張係数を有するセラミック基板である場合には、応力緩和層６０の線膨張係数はたとえば５０〜１５０ｐｐｍ／℃程度である。
【００３８】
また、このような低弾性の応力緩和層６０により、基板１０の一面の周辺部において、応力緩和層６０が無い場合に比べて基板１０の一面上のせん断応力が低減される。たとえば、応力緩和層６０が無い場合に対し、応力緩和層６０の厚さを５μｍ、２０μｍとすると、当該せん断応力はそれぞれ約８０％減、約９０％減となる。この場合、応力緩和層６０の幅はたとえば０．５ｍｍ以上が好ましい。
【００３９】
このような物性を実現するための応力緩和層６０の材質について述べる。この応力緩和層６０は、従来より用いられてきた一般的な樹脂密着性向上のためのプライマーを改良して、より厚く形成することにより構成されたものである。
【００４０】
従来のプライマーとしては、ポリエーテルアミドイミド（ＰＡＩ）、ポリアミド（ＰＡ）、ポリイミド（ＰＩ）などの熱硬化性樹脂があり、一般に高分子樹脂が用いられる。そして、液状のものをディスペンスや印刷などにより、塗布し、これを硬化させることで配置される。ここで、上記したＰＡＩなどの高分子樹脂をビス（２−メトキシエチル）エーテル（ジグライム）やＮ−メチル−２−ピロリドン（ＮＭＰ）などの溶剤に溶解させた溶液を塗布するようにする。
【００４１】
塗布されるプライマーの物性は、主に上記高分子樹脂と溶剤の比により決定され、応力緩和層６０に用いるプライマーは、上記高分子樹脂の比率を従来の１２重量％前後から２４重量％前後へと増加させ、より高粘度なものとしたものである。
【００４２】
このような高分子樹脂の比率を増加したプライマーを塗布・硬化することで、応力緩和層６０について上述したような所望の物性が得られる。なお、この高分子樹脂の比率を変更すること以外にも、高分子樹脂中にフィラーを混合する手法やチクソ付与材を配合する手法も適用可能である。
【００４３】
そして、このような高粘度（たとえば３０Ｐａ・ｓ以上）のプライマーを印刷やディスペンスなどにより、基板１０の一面に塗布し、たとえば１７０〜１８０℃で２〜３時間の加熱により硬化させる。それによって、上記した低弾性な物性を有する応力緩和層６０が形成される。
【００４４】
この応力緩和層６０によれば、基板１０の一面である回路基板１１の部品搭載面の周辺部に発生する熱応力が、緩和されるようになっている。具体的には、使用時等の温度変化によって回路基板１１とモールド樹脂３０との熱膨張係数差により発生する応力、および、後述する樹脂封止工程においてモールド樹脂３０の硬化・収縮により発生する応力が、応力緩和層６０により緩和される。
【００４５】
このように本実施形態によれば、基板１０の一面の周辺部にて最大となりやすい上記熱応力が、当該周辺部にて応力緩和層６０により緩和されるので、基板１０に発生する熱応力によるモールド樹脂３０の剥離・クラックを適切に防止することができる。
【００４６】
また、本実施形態では、図１に示されるように、電子部品２０は、回路基板１１の部品搭載面のうち応力緩和層６０に取り囲まれた領域、すなわち応力緩和層６０の内周側に配置されるとともに、電子部品２０と応力緩和層６０とは接触しないように離れて配置されている。
【００４７】
ここで、回路基板１１の部品搭載面に接続されているボンディングワイヤ５０についても、当該ワイヤ５０と回路基板１１の部品搭載面との接続部分が、応力緩和層６０の内周側であることから、上述したように、当該ワイヤ５０も回路基板１１の部品搭載面に搭載された電子部品に相当するものであるといえる。
【００４８】
このように、本実施形態によれば、回路基板１１の部品搭載面において、電子部品２０、５０と応力緩和層６０とが非接触の状態となり、応力緩和層６０により発生する熱応力が電子部品２０、５０に直接加わらないので、電子部品２０のダメージの防止やボンディングワイヤ５０の剥離防止につながる。
【００４９】
また、上述したように、本実施形態では、回路基板１１の部品搭載面において応力緩和層６０の内周側に、上記プライマーよりなる被膜が設けられているが、この場合、より厚い応力緩和層６０によって上記応力緩和の効果が発揮されるので問題ない。
【００５０】
次に、本実施形態の電子装置の製造方法について述べる。まず、回路基板１１の部品搭載面に、導電性接着剤やはんだなどのダイボンド材を印刷などにより配置し、その上に電子部品２０を搭載・固定した後、電子部品２０のうちワイヤボンディングが必要なものについて回路基板１１との間でワイヤボンディングを行う。
【００５１】
その後、回路基板１１とヒートシンク１２とを接着剤１３を介して重ね合わせ、接着剤１３を硬化させることにより、回路基板１１とヒートシンク１２とを接着剤１３で固定する。
【００５２】
次に、応力緩和層６０となる上記プライマーを、上述したようにディスペンスや印刷により回路基板１１の部品搭載面の周辺部に塗布して配設する。そして、これを乾燥・硬化することにより応力緩和層６０を形成する。
【００５３】
次に、上記図１に示されるように、回路基板１１の部品搭載面のうちの応力緩和層６０の内周側の部位とリード４０との間でワイヤボンディングを行い、回路基板１１とリード４０とをボンディングワイヤ５０により結線する。
【００５４】
その後、回路基板１１の部品搭載面において応力緩和層６０の内周側に、上記プライマーよりなる被膜を、当該プライマーの塗布・硬化により形成する。そして、このものを図示しない金型に投入し、モールド樹脂３０による封止を行えば、本実施形態の電子装置が完成する。
【００５５】
なお、この樹脂封止では、モールド樹脂３０の硬化・収縮が発生し、それによって上記熱応力が発生するが、上記した応力緩和層６０の緩和作用によりモールド樹脂３０の剥離やクラックは防止される。
【００５６】
（第２実施形態）
図２は、本発明の第２実施形態に係る電子装置の要部の概略平面構成を示す図である。ここでは、上記第１実施形態との相違点を中心に述べる。
【００５７】
上述したが、基板１０とモールド樹脂３０との熱膨張係数差やモールド樹脂３０の硬化・収縮により発生する熱応力は、基板１０の周辺部にて最大になりやすいため、基板１０の一面が矩形である場合、特に当該一面の四隅部にて、モールド樹脂の剥離・クラックが顕著となる。
【００５８】
そこで、回路基板１１の部品搭載面の周辺部に応力緩和層６０を配置するにあたっては、図２に示されるように、当該部品搭載面の周辺部の全周ではなく４個のコーナー部のみつまり四隅部のみに、応力緩和層６０を配置してもよい。それにより、回路基板１１の部品搭載面の四隅部に発生する熱応力が、応力緩和層６０により緩和されるので、モールド樹脂３０の剥離・クラックを適切に防止することができる。
【００５９】
また、本実施形態のように回路基板１１の部品搭載面の四隅部のみに応力緩和層６０を配置する場合には、回路基板１１の部品搭載面に応力緩和層６０を配置した後に、電子部品２０を搭載するためのダイボンド材の印刷が行いやすくなる。図２では、応力緩和層６０の内側に当該ダイボンド材の印刷領域Ｒが破線で囲まれた領域として示されている。
【００６０】
これは、回路基板１１の部品搭載面上に印刷マスクを配置するときに、当該部品搭載面の四隅部以外の周辺部では、印刷マスクが応力緩和層６０に干渉しないので、印刷マスクが当該部品搭載面に対して浮くことなく、印刷マスクを当該部品搭載面に確実に密着させることが容易になるためである。
【００６１】
つまり、本実施形態によれば、回路基板１１の部品搭載面に応力緩和層６０を配置した後に、電子部品２０を搭載する工程が行いやすくなるという利点がある。また、たとえば、多連状態の回路基板１１に対して応力緩和層６０を配置した後、上記ダイボンド材の印刷を行うことも可能となる。
【００６２】
（第３実施形態）
図３は、本発明の第３実施形態に係る電子装置の要部を示す図であり、（ａ）は本実施形態の第１の例を示す概略斜視図、（ｂ）は本実施形態の第２の例を示す概略斜視図であり、（ａ）、（ｂ）では回路基板１１と応力緩和層６０との組み付け前の状態を示している。ここでは、上記第１実施形態との相違点を中心に述べる。
【００６３】
上記第１実施形態では、回路基板１１の部品搭載面に液状のプライマーを塗布・硬化することにより応力緩和層６０を形成したが、あらかじめ成形された応力緩和層６０を回路基板１１の部品搭載面に貼り付けることによって、応力緩和層６０を形成するようにしてもよい。
【００６４】
図３（ａ）に示される第１の例では、矩形をなす回路基板１１の部品搭載面の周辺部にて、矩形枠状に配置されるために、応力緩和層６０は矩形枠状に成形されたものとされている。また、図３（ｂ）に示される第２の例では、応力緩和層６０は、矩形をなす回路基板１１の部品搭載面の１辺に対応した短冊状に成形されており、この場合、応力緩和層６０を各辺に配置すればよい。
【００６５】
このような成形された応力緩和層６０としては、具体的には、ポッティングや印刷で使用しているＰＡＩなどをシート形状に成形したもの、たとえば、当該ＰＡＩなどを形状が保持可能な程度まで乾燥させたもの、あるいは、完全硬化したＰＡＩシートなどが挙げられる。そして、回路基板１１の部品搭載面に溶剤を塗布し、その上に、これら成形された応力緩和層６０を搭載することで密着させればよい。
【００６６】
このように本実施形態は、応力緩和層６０をあらかじめ成形した後、回路基板１１の部品搭載面に配置するものであり、上記第２実施形態のように、回路基板１１の部品搭載面の四隅部のみに応力緩和層６０を配置する場合にも適用可能である。
【００６７】
（第４実施形態）
図４は、本発明の第４実施形態に係る電子装置を示す図であり、（ａ）は概略平面図、（ｂ）は（ａ）中の応力緩和層６０の単体斜視図である。なお、図４（ａ）では、回路基板１１の部品搭載面上に設けられている応力緩和層６０の全数ではなく、一部を省略してあり、また、モールド樹脂は省略してある。
【００６８】
上記各実施形態では、回路基板１１の部品搭載面の周辺部に応力緩和層６０を形成した後、回路基板１１の部品搭載面のうちの応力緩和層６０の内周側の部位とリード４０との間でワイヤボンディングを行ったが、本実施形態では、当該ワイヤボンディングを行った後に、応力緩和層６０を配置するものである。
【００６９】
この場合、当該ワイヤボンディングを行った後、図４に示されるように、隣り合うボンディングワイヤ５０同士の間隔に収まる大きさに成形された応力緩和層６０を配置すればよい。
【００７０】
また、成形された応力緩和層６０を配置する方法以外にも、たとえば、ディスペンスやジェットディスペンスなどにより、ボンディングワイヤ５０を避けて、隣り合うボンディングワイヤ５０同士の間に応力緩和層６０を塗布した後、これを硬化する方法も可能である。
【００７１】
また、本実施形態では、図４に示されるように、回路基板１１の部品搭載面のうちボンディングワイヤ５０が形成されない部位については、当該部位に渡って連続した応力緩和層６０を配置すればよい。
【００７２】
（他の実施形態）
なお、上記第１実施形態では、基板１０の一面である回路基板１１の部品搭載面のうち応力緩和層６０の内周側の部位には、モールド樹脂３０と回路基板１１との密着性を確保するプライマーよりなる被膜が設けられていたが、当該被膜は省略してもよい。
【００７３】
当該被膜を省略した場合、基板１０の一面である回路基板１１の部品搭載面のうち応力緩和層６０の内周側では、モールド樹脂３０と回路基板１１の部品搭載面とが直接接して密着されたものとなる。
【００７４】
また、電子装置としては、ハーフモールド構造のものであればよく、たとえば板状の基板１０としては、回路基板１１とヒートシンク１２との積層体に限定されるものではない。基板としては、たとえば回路基板単体であってもよく、この場合、回路基板における電子部品が搭載される一面とは反対側の他面がモールド樹脂より露出すればよい。さらに、基板としては、回路基板単体の場合と同様に、ヒートシンク単体やリードフレームのアイランド単体であってもよい。
【００７５】
また、モールド樹脂より露出する基板の他面には、モールド樹脂内とは別に、ＩＣチップやコンデンサ、抵抗素子などの他の電子部品が搭載されていてもかまわない。
【図面の簡単な説明】
【００７６】
【図１】本発明の第１実施形態に係る電子装置を示す図であり、（ａ）は一部切り欠き概略平面図、（ｂ）は概略断面図である。
【図２】本発明の第２実施形態に係る電子装置の要部の概略平面図である。
【図３】本発明の第３実施形態に係る電子装置の要部を示す図であり、（ａ）は第１の例を示す概略斜視図、（ｂ）は第２の例を示す概略斜視図である。
【図４】本発明の第４実施形態に係る電子装置を示す図であり、（ａ）は概略平面図、（ｂ）は（ａ）中の応力緩和層の単体斜視図である。
【符号の説明】
【００７７】
１０  基板
１１  回路基板
１２  ヒートシンク
２０  電子部品
３０  モールド樹脂
５０  ボンディングワイヤ
６０  応力緩和層
【図１】
2010141158.tif 000003
【図２】
2010141158.tif 000004
【図３】
2010141158.tif 000005
【図４】
2010141158.tif 000006